(57)【要約】【課題】ノブやレバーハンドル等の把手を有しない自動開閉扉において、見栄えを低下させることなく、電源遮断時の扉開放操作を可能とする非常把手用化粧リングを得る。【解決手段】扉の開放方向が手前に引く方向となる開放側面１３ａに把手を有しないとともに自動開閉装置によって開閉される扉１３の開放側面１３ａに設けられ、この扉１３を施解錠する施解錠装置１１の外装部材として開放側面１３ａから突出して取り付けられる非常把手用化粧リング１００であって、化粧リング本体１００の突出後端面積が、突出先端面積より大きく形成され、化粧リング本体３１の突出後端面３１ａと開放側面１３ａとの間に間隙４７が形成可能となるように、化粧リング本体３１が、扉１３に固定される施解錠装置外筒１９に対して軸線方向に移動可能に外挿される。【選択図】  図４
2007100308.tif 000002
【特許請求の範囲】
【請求項１】
扉の開放方向が手前に引く方向となる開放側面に把手を有しないとともに自動開閉装置によって開閉される扉の前記開放側面に設けられ、該扉を施解錠する施解錠装置の外装部材として前記開放側面から突出して取り付けられる非常把手用化粧リングであって、
化粧リング本体の突出後端面積が、突出先端面積より大きく形成され、
前記化粧リング本体の突出後端面と前記開放側面との間に間隙が形成可能となるように、該化粧リング本体が、前記扉に固定される施解錠装置外筒に対して軸線方向に移動可能に外挿されたことを特徴とする非常把手用化粧リング。
【請求項２】
前記化粧リング本体と前記施解錠装置外筒との間に、前記化粧リング本体の突出後端面を前記開放側面へ当接させる方向に付勢する付勢手段が配設されたことを特徴とする請求項１記載の非常把手用化粧リング。
【請求項３】
前記化粧リング本体が、前記施解錠装置外筒に螺合されることを特徴とする請求項１記載の非常把手用化粧リング。
【請求項４】
前記化粧リング本体を、突出方向側の移動位置に保持させる係止手段が、前記化粧リング本体と前記施解錠装置外筒とに亘って設けられたことを特徴とする請求項２記載の非常把手用化粧リング。
【請求項５】
前記係止手段が、前記化粧リング本体を突出方向に移動させる直線溝と、該直線溝に連設され軸線回り所定角度の回転で前記化粧リング本体を突出方向側の移動位置に保持させる係止溝とからなることを特徴とする請求項４記載の非常把手用化粧リング。
【請求項６】
前記化粧リング本体の後端部に、前記突出後端面と同一平面で延出する舌片が設けられていることを特徴とする請求項１，２，３，４，５のいずれか１つに記載の非常把手用化粧リング。
【請求項７】
前記化粧リング本体の後端部に、前記突出後端面と同一平面の環状のフランジ部が形成されていることを特徴とする請求項１，２，３，４，５のいずれか１つに記載の非常把手用化粧リング。
【請求項８】
前記化粧リング本体の軸線直交方向の断面形状が、楕円形状であることを特徴とする請求項１，２，３，４，５のいずれか１つに記載の非常把手用化粧リング。
【請求項９】
前記化粧リング本体の外周面に、指掛け用凹部が形成されていることを特徴とする請求項１，２，３，４，５，８のいずれか１つに記載の非常把手用化粧リング。
【請求項１０】
前記化粧リング本体の外周面の一部に、手指との摩擦力を他部より大きくする滑り止め部が形成されていることを特徴とする請求項１，２，３，４，５のいずれか１つに記載の非常把手用化粧リング。
【請求項１１】
前記滑り止め部がローレットであることを特徴とする請求項１０記載の非常把手用化粧リング。
【請求項１２】
前記化粧リング本体の後端部と、前記突出後端面との間に、段部が形成されることを特徴とする請求項１，２，３，４，５，８のいずれか１項記載の非常把手用化粧リング。
【発明の詳細な説明】
【技術分野】
【０００１】
本発明は、自動開閉装置によって自動開閉される扉に用いて好適な非常把手用化粧リングに関し、特に、開放方向が手前側となる引くことで開ける扉の開放側面に設けられて好適な非常把手用化粧リングに関する。
【背景技術】
【０００２】
蝶番等によって吊り持ちされる一般的な扉は、扉両面に把手が設けられ、その把手、すなわちノブやレバーハンドル等を掴むことにより、開放、閉鎖の操作が行われる。
近年、バリアフリー等の目的で、自動開閉装置を備えることにより、自動で扉の開閉が行われる自動開閉扉、アシストドア等が採用され始めている。この種の自動開閉扉では、扉が自動的に開くので、把手を設ける必要がない。このため、意匠的にも見栄えがよい。また、この種の自動開閉扉においても施解錠装置が設けられるが、この場合施解錠装置には電気錠が用いられ、電気制御によって施解錠の行われることが多い。
【発明の開示】
【発明が解決しようとする課題】
【０００３】
しかしながら、上記した自動開閉扉は、自動開閉扉や施解錠装置が電動であるため、例えば災害発生時等に電源供給が絶たれると、自動開閉装置が作動不能となる。また、施解錠装置では、バックアップ電源により電源の遮断と同時に解錠状態となるものもあるが、いずれにせよ、把手を有していないことから、扉の開放が困難となる。特に、手前側に扉を開放させなければならない引くことで開く扉の場合では、開放側面に突起物が殆ど存在しないため、手前側への開放が極めて困難となる問題があった。
【０００４】
本発明は上記状況に鑑みてなされたもので、ノブやレバーハンドル等の把手を有しない自動開閉扉において、見栄えを低下させることなく、電源遮断時の扉開放操作を可能とする非常把手用化粧リングを提供することにある。
【課題を解決するための手段】
【０００５】
次に、上記の課題を解決するための手段を、実施の形態に対応する図面を参照して説明する。
本発明の請求項１記載の非常把手用化粧リングは、扉の開放方向が手前に引く方向となる開放側面１３ａに把手を有しないとともに自動開閉装置によって開閉される扉１３の前記開放側面１３ａに設けられ、該扉１３を施解錠する施解錠装置１１の外装部材として前記開放側面１３ａから突出して取り付けられる非常把手用化粧リング１００であって、
化粧リング本体３１の突出後端面積が、突出先端面積より大きく形成され、
前記化粧リング本体３１の突出後端面３１ａと前記開放側面１３ａとの間に間隙４７が形成可能となるように、該化粧リング本体３１が、前記扉１３に固定される施解錠装置外筒１９に対して軸線方向に移動可能に外挿されたことを特徴とする。
【０００６】
この非常把手用化粧リングでは、把手を有さず、かつ、開放方向が手前側となる引いて開ける操作とされ、自動開閉装置が停電等によって作動不能となった非常事態時の扉１３であっても、開放側面１３ａに突出する化粧リング本体３１が、施解錠装置外筒１９に対して軸線方向に引っ張られることで、化粧リング本体３１の突出後端面３１ａと扉１３の開放側面１３ａとの間に間隙４７が形成され、この間隙４７に手指が掛けられるようになる。これにより、扉１３の開放操作のきっかけ、すなわち把手替わりに扉の開放が行われることとなる。
【０００７】
請求項２記載の非常把手用化粧リングは、前記化粧リング本体３１と前記施解錠装置外筒１９との間に、前記化粧リング本体３１の突出後端面３１ａを前記開放側面１３ａへ当接させる方向に付勢する付勢手段４５が配設されたことを特徴とする。
【０００８】
この非常把手用化粧リングでは、施解錠装置外筒１９に対して軸線方向に移動可能となった化粧リング本体３１が、付勢手段４５の付勢力によって通常時、扉１３の開放側面１３ａに当接状態に保持される。すなわち、付勢手段４５の付勢力に抗して軸線方向に引っ張ることで化粧リング本体３１の突出後端面３１ａと扉１３の開放側面１３ａとの間に間隙４７を形成する。
【０００９】
請求項３記載の非常把手用化粧リングは、前記化粧リング本体３１が、前記施解錠装置外筒１９に螺合されることを特徴とする。
【００１０】
この非常把手用化粧リングでは、通常時には、化粧リング本体３１の突出後端面３１ａが扉１３の開放側面１３ａに当接方向に回転され、非常時には、化粧リング本体３１が逆側へ回転されることで、化粧リング本体３１の突出後端面３１ａと扉１３の開放側面１３ａとの間に、指掛け用の間隙４７が形成される。
【００１１】
請求項４記載の非常把手用化粧リングは、前記化粧リング本体３１を、突出方向側の移動位置に保持させる係止手段（係止片４３、直線溝３９、係止溝４９）が、前記化粧リング本体３１と前記施解錠装置外筒１９とに亘って設けられたことを特徴する。
【００１２】
この非常把手用化粧リングでは、係止手段（係止片４３、直線溝３９、係止溝４９）によって化粧リング本体３１が突出方向側の移動位置に保持され、化粧リング本体３１と扉１３の開放側面１３ａとの間に、指掛け用の間隙４７が形成された状態に保持される。
【００１３】
請求項５記載の非常把手用化粧リングは、前記係止手段が、前記化粧リング本体３１を突出方向に移動させる直線溝３９と、該直線溝３９に連設され軸線回り所定角度の回転で前記化粧リング本体３１を突出方向側の移動位置に保持させる係止溝４９とからなることを特徴とする。
【００１４】
この非常把手用化粧リングでは、化粧リング本体３１が、掴んだままの、引っ張り、及び回転の一連の容易な操作で、突出移動側の位置に保持可能となって、化粧リング本体３１と扉１３の開放側面１３ａとの間に、指掛け用の間隙４７が形成された状態に保持される。
【００１５】
請求項６記載の非常把手用化粧リングは、前記化粧リング本体３１の後端部に、前記突出後端面３１ａと同一平面で延出する舌片５１が設けられていることを特徴とする。
【００１６】
この非常把手用化粧リングでは、化粧リング本体３１が手前に引き出されることにより、舌片５１も化粧リング本体３１と共に移動され、舌片５１と扉１３の開放側面１３ａとの間に間隙４７ができ、舌片５１がレバー状となり、この舌片５１をレバーハンドルとして利用可能となる。
【００１７】
請求項７記載の非常把手用化粧リングは、前記化粧リング本体５１の後端部に、前記突出後端面３１ａと同一平面の環状のフランジ部５３が形成されていることを特徴とする。
【００１８】
この非常把手用化粧リングでは、化粧リング本体３１が手前に引き出されることにより、フランジ部５３も化粧リング本体３１と共に移動され、フランジ部５３と扉１３の開放側面１３ａとの間に対向する面で構成される間隙４７ができ、フランジ部５３がノブ状ハンドルとして利用可能となる。
【００１９】
請求項８記載の非常把手用化粧リングは、前記化粧リング本体３１の軸線直交方向の断面形状が、楕円形状であることを特徴とする。
【００２０】
この非常把手用化粧リングでは、断面形状が円形状である場合に比べ、化粧リング本体３１に、大きな両側面３１ｂ，３１ｃが確保可能となり、手指による把持が容易となる。また、回転させる場合に回転しやすくなる。
【００２１】
請求項９記載の非常把手用化粧リングは、前記化粧リング本体３１の外周面に、指掛け用凹部５５が形成されていることを特徴とする。
【００２２】
この非常把手用化粧リングでは、化粧リング本体３１の外周面が、指掛け用凹部５５によって容易に掴むことが可能となり、化粧リング本体３１の引き出し操作が容易となる。また、回転させる場合に回転しやすくなる。
【００２３】
請求項１０記載の非常把手用化粧リングは、前記化粧リング本体３１の外周面の一部に、手指との摩擦力を他部より大きくする滑り止め部５７が形成されていることを特徴とする。
【００２４】
この非常把手用化粧リングでは、化粧リング本体３１が突出後端面３１ａに向かって徐々に大径となる錐体形状、例えば円錐台形状であっても、滑り止め部５７にて手指が摩擦により引っ掛かるようになる。
【００２５】
請求項１１記載の非常把手用化粧リングは、前記滑り止め部５７がローレットであることを特徴とする。
【００２６】
この非常把手用化粧リングでは、滑り止め部５７が見栄え良く、かつ容易に種々の大きさの摩擦力で形成可能となる。
【００２７】
請求項１２記載の非常把手用化粧リングは、前記化粧リング本体３１の後端部と、前記突出後端面３１ａとの間に、段部５９が形成されることを特徴とする。
【００２８】
この非常把手用化粧リングでは、化粧リング本体３１の突出後端面３１ａが、扉１３の開放側面１３ａに接している状態においても、化粧リング本体３１の突出後端面３１ａと扉１３の開放側面１３ａとの間に段部５９が形成され、この段部５９が化粧リング本体３１の引っ張り操作のきっかけとなる。
【発明の効果】
【００２９】
本発明に係る請求項１記載の非常把手用化粧リングによれば、化粧リング本体の突出後端面積が、突出先端面積より大きく形成され、化粧リング本体の突出後端面と開放側面との間に間隙が形成可能となるように、化粧リング本体が扉に固定される施解錠装置外筒に対して軸線方向に移動可能に外挿されたので、開放方向が手前に引く方向とされ、把手を有さず、自動開閉装置が停電等によって作動不能となった非常事態時の扉であっても、開放側面に突出する化粧リング本体を、施解錠装置外筒に対して軸線方向に引っ張ることで、化粧リング本体の突出後端面と扉の開放側面との間に間隙を形成し、この間隙に手指を掛けることで、化粧リング本体が把手として利用可能となり、扉を手前へ引き開けることができる。この結果、意匠性を考慮した自動開閉扉の非常時における対応、すなわち、手動開閉操作を可能にすることができる。
【００３０】
請求項２記載の非常把手用化粧リングによれば、化粧リング本体と施解錠装置外筒との間に、化粧リング本体の突出後端面を開放側面へ当接させる方向に付勢する付勢手段が配設されたので、施解錠装置外筒に対して軸線方向に移動可能となった化粧リング本体を、付勢手段の付勢力によって通常時、扉の開放側面に当接状態に保持させることができる。すなわち、この付勢手段の付勢力に抗して化粧リング本体を引っ張ることで、化粧リング本体の突出後端面と扉の開放側面との間に間隙を形成することができ、この間隙に手指を掛けることが可能となる。
【００３１】
請求項３記載の非常把手用化粧リングによれば、化粧リング本体が、施解錠装置外筒に螺合されるので、通常時には、化粧リング本体の突出後端面が扉の開放側面に当接方向に回転され、非常時には、化粧リング本体を逆側へ回転させることにより、化粧リング本体の突出後端面と扉の開放側面との間に、指掛け用の間隙を形成することができる。
【００３２】
請求項４記載の非常把手用化粧リングによれば、化粧リング本体を、突出方向側の移動位置に保持させる係止手段が、化粧リング本体と施解錠装置外筒とに亘って設けられたので、係止手段によって化粧リング本体が突出方向側の移動位置に保持され、化粧リング本体と扉の開放側面との間に、指掛け用の間隙を形成したままの状態とすることができる。
【００３３】
請求項５記載の非常把手用化粧リングによれば、係止手段が、化粧リング本体を突出方向に移動させる直線溝と、この直線溝に連設され軸線回り所定角度の回転で化粧リング本体を突出方向側の移動位置に保持させる係止溝とからなるので、化粧リング本体を掴んだままの、引っ張り、及び回転の一連の容易な操作で、化粧リング本体を突出移動側の位置に保持させることができる。
【００３４】
請求項６記載の非常把手用化粧リングによれば、化粧リング本体の後端部に、突出後端面と同一平面で延出する舌片が設けられているので、化粧リング本体を手前に引き出すことにより、舌片も化粧リング本体と共に移動され、舌片と扉の開放側面との間に間隙ができ、舌片が操作容易なレバーとして、すなわち、掴み持つことが可能となって、扉の開放に利用可能となる。
【００３５】
請求項７記載の非常把手用化粧リングによれば、化粧リング本体の後端部に、突出後端面と同一平面の環状のフランジ部が形成されているので、化粧リング本体を手前に引き出すことにより、フランジ部も化粧リング本体と共に移動され、フランジ部と扉の開放側面との間に対向する面で構成される間隙ができ、フランジ部が操作容易なハンドルとして利用可能となる。
【００３６】
請求項８記載の非常把手用化粧リングによれば、化粧リング本体の軸線直交方向の断面形状が、楕円形状であるので、断面形状が円形状である場合に比べ、大きな両側面が確保可能となり、手指による把持が容易となって、化粧リング本体の引き出し操作を容易にすることができる。また、回転させる場合には容易に回転が行える。
【００３７】
請求項９記載の非常把手用化粧リングによれば、化粧リング本体の外周面に、指掛け用凹部が形成されているので、化粧リング本体の外周面を、指掛け用凹部によって容易に掴むことができ、化粧リング本体の引き出し操作を容易にすることができる。
【００３８】
請求項１０記載の非常把手用化粧リングによれば、化粧リング本体の外周面の一部に、手指との摩擦力を他部より大きくする滑り止め部が形成されているので、化粧リング本体が突出先端側に向かって徐々に小径となる錐体形状であっても、滑り止め部に手指を引っかけ、化粧リング本体の引き出しを容易にすることができる。
【００３９】
請求項１１記載の非常把手用化粧リングによれば、滑り止め部がローレットであるので、滑り止め部を見栄え良く、かつ容易に種々の大きさの摩擦力で形成することが可能となる。
【００４０】
請求項１２記載の非常把手用化粧リングによれば、化粧リング本体の後端部と、突出後端面との間に、段部が形成されるので、化粧リング本体の突出後端面が、扉の開放側面に接している状態においても、化粧リング本体の突出後端面と扉の開放側面との間に段部が形成され、この段部をきっかけに化粧リング本体を突出方向に移動させることができ、化粧リング本体と扉の開放側面との間隙を容易に形成することができる。
【発明を実施するための最良の形態】
【００４１】
以下、本発明に係る非常把手用化粧リングの好適な実施の形態を図面を参照して詳細に説明する。
図１は本発明に係る非常把手用化粧リングの縦断面図、図２は図１に示した非常把手用化粧リングの取り付けられる扉の概略斜視図、図３は図２に示した扉の開放状態の水平断面図、図４は化粧リング本体を突出方向に移動させた非常把手用化粧リングの水平断面図、図５は化粧リング本体の突出後端面が開放側面に当接した状態の水平断面図、図６は化粧リング本体が突出方向に移動された状態の水平断面図、図７は図６の化粧リング本体が回転されることにより係止手段が係止した状態の水平断面図である。
この実施の形態による非常把手用化粧リング１００は、施解錠装置１１の外装部材として扉１３の開放側面１３ａに突出して設けられる。扉１３としては、図２に示すように、ヒンジ１５，１５によって吊り持ちされ、手前側に引き開けられる扉１３を好適に挙げることができる。
【００４２】
この扉１３の開閉駆動は、不図示の自動開閉装置によってなされる。したがって、この扉１３の開放側面１３ａには、把手等が設けられず、当該施解錠装置１１の非常把手用化粧リング１００のみが突出して設けられることとなる。図３に示すように、非常把手用化粧リング１００は、扉１３の引き開き方向に突出している。
【００４３】
図１に示すように、施解錠装置１１は、扉１３に内蔵された錠箱１７に連結される。施解錠装置１１は、錠箱１７に固定される外筒１９と、この外筒１９に回動自在に内設される内筒２１とからなる。外筒１９と内筒２１とは、シリンダー錠２３を構成し、内筒２１の前端面に設けられた鍵穴に、不図示の合鍵が挿入されることにより、不図示のシアーラインが一致して、外筒１９に対して内筒２１が回動可能、すなわち、解錠される。合鍵が挿入され、内筒２１が回転されることにより、内筒２１の後端から突出したテールピース２７が錠箱１７内の施解錠機構を駆動する。
【００４４】
このように、非常把手用化粧リング１００は、開放側面１３ａに把手を有しないとともに自動開閉装置によって開閉される扉１３の、開放側面１３ａに設けられ、扉１３を施解錠する施解錠装置１１の外装部材として開放側面１３ａから突出して取り付けられている。なお、扉１３の反対面、すなわち、押す方向を開放方向とする側の面には、例えばサムターン２９が設けられ、合鍵によらずに錠箱１７内の施解錠機構が駆動可能となるものでもよい。
【００４５】
施解錠装置１１の外筒１９には、非常把手用化粧リング１００の構成部材である化粧リング本体３１が外装されている。化粧リング本体３１は、突出後端面積が、突出先端面積より大きく形成されている。つまり、化粧リング本体３１は、先端面が平坦な円錐形状、例えば略円錐台形状の筒体で形成される。
【００４６】
外筒１９の先端部には飾り筒３３が嵌合され、飾り筒３３は先端面に穿設された開口穴３５から内筒２１を表出させている。飾り筒３３の後端部には固定片３７が折曲され、固定片３７は、外筒１９の外周に軸線方向で形成された直線溝３９に挿入されている。なお、この直線溝３９は、係止手段の構成要素となる。
【００４７】
化粧リング本体３１は、先端部が内方へ折り曲げられて円筒部４１となり、この円筒部４１が飾り筒３３の外周、及び外筒１９の外周に嵌合される。円筒部４１の折り曲げ先端には係止手段である係止片４３が設けられ、係止片４３は上記の直線溝３９に挿入される。また、飾り筒３３の固定片３７と、当該係止片４３との間には付勢手段である圧縮コイルバネ４５が配設され、圧縮コイルバネ４５は係止片４３を介して化粧リング本体３１を開放側面１３ａへ付勢する。
【００４８】
飾り筒３３の固定片３７と、化粧リング本体３１の係止片４３とは、所定間隔離間されている。これにより、化粧リング本体３１は、突出後端面３１ａと開放側面１３ａとの間に図４に示す間隙４７が形成可能となるように、外筒１９に対して軸線方向に移動可能となる。そして、化粧リング本体３１と外筒１９との間に、化粧リング本体３１の突出後端面３１ａを開放側面１３ａへ当接させる方向に付勢する圧縮コイルバネ４５が配設されたので、外筒１９に対して軸線方向に移動可能となった化粧リング本体３１を、付勢力によって通常時、扉１３の開放側面１３ａに当接状態に保持させることができる。
【００４９】
図５に示すように、直線溝３９には、直交方向となる周方向に分岐された係止溝４９が連設されている。この係止溝４９には図６に示すように、突出方向で移動されることにより係止溝４９に到達した係止片４３が、化粧リング本体３１の軸線回りの回転によって、図７に示すように、進入するようになっている。化粧リング本体３１は、係止片４３が係止溝４９に進入することにより、圧縮コイルバネ４５の付勢力に抗して開放側面１３ａへの移動が規制され、間隙４７を形成した状態で保持される。
【００５０】
すなわち、化粧リング本体３１を、突出方向側の移動位置に保持させる係止手段（係止溝４９、係止片４３）が、化粧リング本体３１と外筒１９とに亘って設けられたので、化粧リング本体３１と開放側面１３ａとの間に、指掛け用の間隙４７を形成したままの状態とすることができる。
【００５１】
そして、係止手段が、化粧リング本体３１を突出方向に移動させる直線溝３９と、この直線溝３９に連設され軸線回り所定角度の回転で化粧リング本体３１を突出方向側の移動位置に保持させる係止溝４９とからなるので、化粧リング本体３１を掴んだままの、引っ張り、及び回転の一連の容易な操作で、化粧リング本体３１を図７に示す突出移動側の位置に保持させることができるようになっている。
【００５２】
次に、上記の構成による非常把手用化粧リング１００の作用を説明する。
図２に示した扉１３において、電源が遮断され、自動開閉装置が非作動状態となった際、図４に示すように、非常把手用化粧リング１００の化粧リング本体３１が手指によって手前側へ引っ張られる。
【００５３】
化粧リング本体３１は、外周が把持されて引っ張られることにより、圧縮コイルバネ４５が圧縮され、手前側へと移動される。図６に示すように、所定位置まで移動された後、図７に示すように、化粧リング本体３１が所定角度回転されると、化粧リング本体３１の係止片４３が係止溝４９へと進入し、化粧リング本体３１は、圧縮コイルバネ４５の付勢力に抗して、突出方向に移動された状態で、保持される。
【００５４】
これにより、化粧リング本体３１の突出後端面３１ａと開放側面１３ａとの間には、手指を引っかけるに好適な間隙４７が形成されたままとなる。自動開閉装置が停止した非常時には、この間隙４７に手指を引っ掛けることにより、化粧リング本体３１が把手として利用可能となり、扉１３が容易に引き開き可能となる。
なお、化粧リング本体３１は、係止片４３を係止溝４９から外す方向へ回転されることで、圧縮コイルバネ４５の付勢力により、係止片４３が直線溝３９に沿って図７の右方へ移動され、再び突出後端面３１ａが図５に示すように、開放側面１３ａに当接されることとなる。
【００５５】
したがって、この非常把手用化粧リング１００にれば、化粧リング本体３１の突出後端面積が、突出先端面積より大きく形成され、化粧リング本体３１の突出後端面３１ａと開放側面１３ａとの間に間隙４７が形成可能となるように、化粧リング本体３１が扉に固定される施解錠装置外筒１９に対して軸線方向に移動可能に外挿されたので、把手を有さず、自動開閉装置が停電等によって作動不能となった非常事態時の扉１３であっても、開放側面１３ａに突出する化粧リング本体３１を、施解錠装置外筒１９に対して軸線方向に引っ張ることで、化粧リング本体３１の突出後端面３１ａと扉の開放側面１３ａとの間に間隙４７を形成し、この間隙４７に手指を掛けることで、化粧リング本体３１が把手として利用可能となり、扉１３を手前へ引き開けることが容易にできる。この結果、意匠性を考慮した自動開閉扉の非常時における対応、すなわち、手動開閉操作を可能にすることができる。
【００５６】
次に、上記実施の形態による非常把手用化粧リングの変形例を説明する。
なお、以下の各変形例において、図１〜図７に示した部材及び部位と同一の部材及び部位には同一の符号を付し、重複する説明は省略するものとする。
図８は舌片が設けられた化粧リング本体の正面視を（ａ）、側面視を（ｂ）に表した変形例１の説明図である。
この変形例１による非常把手用化粧リング１００Ａは、化粧リング本体３１の後端部に、突出後端面３１ａと同一平面で延出する舌片５１が設けられている。
この変形例１による非常把手用化粧リング１０0 Ａによれば、化粧リング本体３１を手前に引き出すことにより、舌片５１も化粧リング本体３１と共に移動され、舌片５１と扉の開放側面１３ａとの間に間隙ができ、舌片５１が、掴み持つことをも可能とする操作容易なレバーとして利用可能となる。
【００５７】
図９はフランジ部が設けられた化粧リング本体の正面視を（ａ）、側面視を（ｂ）に表した変形例２の説明図である。
この変形例２による非常把手用化粧リング１００Ｂは、化粧リング本体３１の後端部に、突出後端面３１ａと同一平面の環状のフランジ部５３が形成されている。
この変形例２による非常把手用化粧リング１００Ｂによれば、化粧リング本体３１を手前に引き出すことにより、フランジ部５３も化粧リング本体３１と共に移動され、フランジ部５３と扉の開放側面１３ａとの間に対向する面で構成される間隙４７ができ、フランジ部５３が操作容易なハンドルとして利用可能となる。
【００５８】
図１０は断面楕円形状に形成された化粧リング本体の正面視を（ａ）、上面視を（ｂ）、側面視を（ｃ）に表した変形例３の説明図である。
この変形例３による非常把手用化粧リング１００Ｃは、化粧リング本体３１の軸線直交方向の断面形状、すなわち正面から見て、略楕円形状に形成される。
この変形例３による非常把手用化粧リング１００Ｃによれば、断面形状が円形状である場合に比べ、大きな両側面３１ｂ，３１ｃが確保可能となり、手指による把持が容易となって、化粧リング本体３１の引き出し操作を容易にすることができる。また、回転させる場合には、長軸側両端に対して回転モーメントを与えやすくなり、その回転が容易なものとなる。
【００５９】
図１１は外周に指掛け用凹部の形成された化粧リング本体の正面視を（ａ）、上面視を（ｂ）、側面視を（ｃ）に表した変形例４の説明図である。
この変形例４による非常把手用化粧リング１００Ｄは、化粧リング本体３１の外周面に、指掛け用凹部５５が形成される。
この変形例４による非常把手用化粧リング１００Ｄによれば、化粧リング本体３１の外周面を、指掛け用凹部５５によって容易に掴むことができ、化粧リング本体３１の引き出し操作を容易にすることができる。また、上記楕円形状の非常把手用化粧リング１００Ｃと同様に、回転させる場合に、その回転を容易なものとすることが可能となる。
【００６０】
図１２は外周にローレットの形成された化粧リング本体の正面視を（ａ）、側面視を（ｂ）に表した変形例５の説明図である。
この変形例５による非常把手用化粧リング１００Ｅは、化粧リング本体３１の外周面の一部に、手指との摩擦力を他部より大きくする環状の滑り止め部５７が形成されている。この滑り止め部５７は、例えば表面を加工して得られるローレットなどとすることができる。
この変形例５による非常把手用化粧リングＥによれば、化粧リング本体３１が突出先端側に向かって徐々に小径となる錐体形状であっても、滑り止め部５７に手指を引っかけ、化粧リング本体３１の引き出しを容易にすることができる。そして、この滑り止め部５７がローレットであれば、滑り止め部５７を見栄え良く、かつ容易に種々の大きさの摩擦力で形成することが可能となる。また、滑り止めの効果により、回転させたい場合には、その回転を容易なものとすることができる。
【００６１】
図１３は開放側面との間に段部の形成された化粧リング本体の正面視を（ａ）、側面視を（ｂ）に表した変形例６の説明図である。
この変形例６による非常把手用化粧リング１００Ｆは、化粧リング本体３１の後端部と、突出後端面３１ａとの間に、段部５９が形成される。
この変形例６による非常把手用化粧リング１００Ｆによれば、化粧リング本体３１の突出後端面３１ａが、扉の開放側面１３ａに接している状態においても、化粧リング本体３１と扉の開放側面１３ａとの間に段部５９が形成され、この段部５９をきっかけに化粧リング本体３１を突出方向に移動させることができ、化粧リング本体３１と扉の開放側面１３ａとの間隙４７を容易に形成することができる。
【００６２】
なお、上記の実施の形態及び各変形例では、化粧リング本体３１が施解錠装置外筒１９にスライド自在に外挿される構造を例に説明したが、本発明に係る非常把手用化粧リングは、化粧リング本体３１が、施解錠装置外筒１９に螺合されるものであってもよい。この場合、施解錠装置外筒１９の外周には雄ねじが形成され、化粧リング本体３１の内周には雌ねじが形成される。
このような螺合構造の非常把手用化粧リングによれば、化粧リング本体３１が、施解錠装置外筒１９に螺合されるので、通常時には、化粧リング本体３１の突出後端面３１ａが扉の開放側面１３ａに当接方向に回転され、非常時には、化粧リング本体３１を逆側へ回転することにより、化粧リング本体３１の突出後端面３１ａと扉の開放側面１３ａとの間に、指掛け用の間隙を形成することができる。
【図面の簡単な説明】
【００６３】
【図１】本発明に係る非常把手用化粧リングの縦断面図である。
【図２】図１に示した非常把手用化粧リングの取り付けられる扉の斜視図である。
【図３】図２に示した扉の開放状態の水平断面図である。
【図４】化粧リング本体を突出方向に移動させた非常把手用化粧リングの水平断面図である。
【図５】化粧リング本体の突出後端面が開放側面に当接した状態の水平断面図である。
【図６】化粧リング本体が突出方向に移動された状態の水平断面図である。
【図７】図６の化粧リング本体が回転されることにより係止手段が係止した状態の水平断面図である。
【図８】舌片が設けられた化粧リング本体の正面視を（ａ）、側面視を（ｂ）に表した変形例１の説明図である。
【図９】フランジ部が設けられた化粧リング本体の正面視を（ａ）、側面視を（ｂ）に表した変形例２の説明図である。
【図１０】断面楕円形状に形成された化粧リング本体の正面視を（ａ）、上面視を（ｂ）、側面視を（ｃ）に表した変形例３の説明図である。
【図１１】外周に指掛け用凹部の形成された化粧リング本体の正面視を（ａ）、上面視を（ｂ）、側面視を（ｃ）に表した変形例４の説明図である。
【図１２】外周にローレットの形成された化粧リング本体の正面視を（ａ）、側面視を（ｂ）に表した変形例５の説明図である。
【図１３】開放側面との間に段部の形成された化粧リング本体の正面視を（ａ）、側面視を（ｂ）に表した変形例６の説明図である。
【符号の説明】
【００６４】
１１…施解錠装置
１３…扉
１３ａ…開放側面
１９…施解錠装置外筒
３１…化粧リング本体
３１ａ…突出後端面
３９…係止手段（直線溝）
４３…係止手段（係止片）
４５…付勢手段（圧縮コイルバネ）
４７…間隙
４９…係止手段（係止溝）
５１…舌片
５３…フランジ部
５５…指掛け用凹部
５７…滑り止め部
５９…段部
１００…非常把手用化粧リング
【図１】
2007100308.tif 000003
【図２】
2007100308.tif 000004
【図３】
2007100308.tif 000005
【図４】
2007100308.tif 000006
【図５】
2007100308.tif 000007
【図６】
2007100308.tif 000008
【図７】
2007100308.tif 000009
【図８】
2007100308.tif 000010
【図９】
2007100308.tif 000011
【図１０】
2007100308.tif 000012
【図１１】
2007100308.tif 000013
【図１２】
2007100308.tif 000014
【図１３】
2007100308.tif 000015